(57)【要約】【課題】グラデーション自体が意匠性に優れ、かつ縦方向に長いガラスや透明樹脂製板（例えば、窓ガラスやパーティション）においてもグラデーションの中に継ぎ目を有することなく貼付することができ、ガラス等に貼付したときに優れた外観および目隠し効果を与えると共に、室内の明るさも確保できる装飾用フイルムを提供する。【解決手段】基体フイルム上に、フイルムの長さ方向に１〜４ｍ当たり１回繰返すグラデーションを有するところの模様を有する装飾用フイルムであって、該模様が、基体フイルムの地の色（色相、明度及び彩度を言う）と異なる色を有する、等間隔に配置された多数の図形で構成され、図形の各々は、その外周輪郭の内側に基体フイルムの地の部分を有しまたは有さず、該内側の地の部分の面積がフイルムの長さ方向に漸増又は漸減することによってグラデーションが形成されている装飾用フイルム。【選択図】図１
2006231880.tif 000002
【特許請求の範囲】
【請求項１】
基体フイルム上に、フイルムの長さ方向に１〜４ｍ当たり１回繰返すグラデーションを有するところの模様を有する装飾用フイルムであって、該模様が、基体フイルムの地の色（色相、明度及び彩度を言う）と異なる色を有する、等間隔に配置された多数の図形で構成され、図形の各々は、その外周輪郭の内側に基体フイルムの地の部分を有しまたは有さず、該内側の地の部分の面積がフイルムの長さ方向に漸増又は漸減することによってグラデーションが形成されている装飾用フイルム。
【請求項２】
フイルムの長さ方向に１．５〜３ｍ当たり１回繰返すグラデーションを有する請求項１記載の装飾用フイルム。
【請求項３】
１つの図形及びそれと隣り合う図形との間の地とで構成される繰返し模様１単位において、該繰返し模様１単位の面積に対する、基体フイルムの地の色と異なる色を有する部分の面積の割合が９９．５％〜０％の範囲であり、該割合がフイルムの長さ方向に漸減又は漸増している請求項１または２に記載の装飾用フイルム。
【請求項４】
該割合がフイルムの長さ方向に５〜１００段階の変化を有することによって漸減又は漸増している請求項３に記載の装飾用フイルム。
【請求項５】
繰返し模様の１単位が、フイルムの長さ方向に０．６〜３３ｃｍの長さを有する請求項１〜４のいずれか１項に記載の装飾用フイルム。
【請求項６】
図形の外周輪郭が円形、多角形、星形、樹木形、動物形、人形、雲形、およびその他の、曲線及び／又は直線によって形成される形からなる群から選ばれる１以上の形を有する請求項１〜５のいずれか１項に記載の装飾用フイルム。
【請求項７】
図形の外周輪郭が互いに同一の形及び大きさを有する請求項１〜６のいずれか１項に記載の装飾用フイルム。
【請求項８】
模様がスクリーン印刷された請求項１〜７のいずれか１項に記載の装飾用フイルム。
【請求項９】
模様がパール系顔料またはアルミニウム系顔料を含有する請求項１〜８のいずれか１項に記載の装飾用フイルム。
【請求項１０】
基体フイルムの厚さが１０〜３００μｍである請求項１〜９のいずれか１項に記載の装飾用フイルム。
【請求項１１】
基体フイルムが、ポリエステル系樹脂、セルロース系樹脂、ポリカーボネート系樹脂、アクリル系樹脂、スチレン系樹脂、塩化ビニル系樹脂およびポリオレフィン系樹脂からなる群から選ばれる少なくとも一つを含む請求項１〜１０のいずれか１項に記載の装飾用フイルム。
【請求項１２】
模様を有する基体フイルムの、模様を有する面または模様を有しない面に粘着剤層を有する請求項１〜１１のいずれか１項に記載の装飾用フイルム。
【発明の詳細な説明】
【技術分野】
【０００１】
本発明は、装飾用フイルムに関する。特に本発明は、窓ガラス等に貼付したときに優れた目隠し効果を有し、かつ意匠性に優れた装飾用フイルムに関する。
【背景技術】
【０００２】
ガラスや透明な樹脂製板、例えば窓ガラスに目隠し機能を持たせるために、窓ガラスに遮光性フイルムを貼付することが広く行われている。また、フイルムにグラデーションを付与することにより、窓ガラスの一部のみに目隠し機能を持たせることも行われている。例えば、窓ガラスの下方部分、例えば目線以下を目隠しして外から室内が見えないようにし、上方部分では日光を透過させて室内を明るくすることができる。
【０００３】
フイルムにグラデーションを付与するには、砂目またはドットを使用し、その大きさや密度を変化させることによって行うのが通常である。例えば、ドットの大きさおよび密度を変化させることによってグラデーションを付与したガラス用フイルム（例えば商品名イルミナ（３Ｍ社製））が知られている（例えば、非特許文献１参照）。この商品は、１２７０ｍｍのロール幅に亘ってグラデーションを有する。グラデーションの方向に１２７０ｍｍより長いフイルムを要するときには別のフイルムが継ぎ足される。
【０００４】
【非特許文献１】カタログ「３Ｍ  ＦａｓａｒａＴＭ  ファサラＴＭガラスシェード」住友スリーエム株式会社発行、２００３−２００４年版
【発明の開示】
【発明が解決しようとする課題】
【０００５】
本発明の目的は、グラデーション自体が意匠性に優れ、かつ縦方向に長いガラスや透明樹脂製板（例えば、窓ガラスやパーティション）においてもグラデーションの中に継ぎ目を有することなく貼付することができ、ガラス等に貼付したときに優れた外観および目隠し効果を与えると共に、室内の明るさも確保できる装飾用フイルムを提供することである。
【課題を解決するための手段】
【０００６】
すなわち、本発明は、基体フイルム上に、フイルムの長さ方向に１〜４ｍ当たり１回繰返すグラデーションを有するところの模様を有する装飾用フイルムであって、該模様が、基体フイルムの地の色（色相、明度及び彩度を言う）と異なる色を有する、等間隔に配置された多数の図形で構成され、図形の各々は、その外周輪郭の内側に基体フイルムの地の部分を有しまたは有さず、該内側の地の部分の面積がフイルムの長さ方向に漸増又は漸減することによってグラデーションが形成されている装飾用フイルムを提供する。
【発明の効果】
【０００７】
本発明の装飾用フイルムは、フイルムの長さ方向に１〜４ｍ当たり１回繰返すグラデーションを有するので、縦方向に長い窓ガラスにおいてもフイルムを継ぎ足すことなく貼付することができる。従って、継ぎ足す手間を省くことができ、かつグラデーションの中に継ぎ目がないので外観性に優れる。
【０００８】
また、本発明の装飾用フイルムは、グラデーションが、ドットの使用によって形成されているのではなく、上記したように特定の構成を有する模様によって形成されている。その結果、意匠性がより高められたグラデーションが得られると共に、目隠し効果がより高められ、かつ室内の明るさも確保できる。
【発明を実施するための最良の形態】
【０００９】
以下に、本発明の装飾用フイルムを、図を参照して説明する。
図１は本発明の装飾用フイルムの一例を模式的に示す図である。図１において、黒く塗りつぶした部分は、基体フイルムの地の色と異なる色を有し、その他の部分は基体フイルムの地である。本発明の装飾用フイルムは、基体フイルム上に、フイルムの長さ方向に１〜４ｍ、好ましくは１．５〜３ｍ当たり１回繰返すグラデーションを有するところの模様を有する。模様は、図１に示すように、基体フイルムの地の色と異なる色を有する多数の図形が等間隔に配置されて構成される。図形の各々は、その外周輪郭の内側に基体フイルムの地の部分２を有しまたは有しない。そして、上記内側の地の部分２の面積がフイルムの長さ方向に漸増又は漸減することによってグラデーションが形成される。なお、本明細書において、「色」は色相、明度及び彩度を意味する。
【００１０】
図２は図１の一部を拡大した図である。本明細書では、図２に示される実線で囲まれた部分を繰返し模様１単位と定義する。実線は、互いに隣り合う２つの図形の間の地の中央を通る。図２において、Ｌは、フイルムの長さ方向における繰返し模様１単位の長さを示し、Ｗはフイルムの幅方向における繰返し模様１単位の長さを示す。なお、本発明の好ましい実施態様では、模様が、上記したように、多数の図形を等間隔に配置することにより構成される。本明細書において「等間隔に」は、繰返し模様１単位の大きさ、すなわちＬおよびＷが一定であることを意味する。
【００１１】
本発明の装飾用フイルムでは、上記したように、模様が等間隔に配列しているため、フイルムの一部を切り取って使用したいとき、余計な部分を含むことなく必要な部分のみを切り取ることができるという利点がある。これは、模様がドットで形成されている場合よりも都合が良い。ドットの場合は、配列が不規則であり、一部を切り取ったとき、余計な部分が入り得るからである。
【００１２】
模様を構成する図形は、種々の形および大きさの外周輪郭を有し得る。外周輪郭は、曲線及び／又は直線によって形成されるいずれの形でもよく、例えば円形（例えば円、楕円）、多角形（例えば三角形、四角形、五角形、六角形、七角形、八角形）、星形、樹木形、動物形、人形、雲形などが挙げられる。また、外周輪郭の大きさは、繰返し模様１単位の中に入る大きさであればよい。模様を構成する図形は、外周輪郭の形および大きさが互いに同一であっても異なっていてもよい。好ましくは、上記形および大きさが互いに同一である。
【００１３】
図形の外周輪郭の内側における地の部分２の形状は特に制限されない。意匠性の点から、地の部分２の全ての形状が同一であるのが好ましい。
【００１４】
本発明の装飾用フイルムにおけるグラデーションは、上記したように、内側の地の部分２の面積がフイルムの長さ方向に漸増又は漸減することによって形成される。このとき、繰返し模様１単位における、基体フイルムの地の色と異なる色を有する部分（以降、「地と異なる部分」と言う）１の面積は、フイルムの長さ方向に、上記内側の地の部分２の面積の漸増又は漸減に応じて漸減又は漸増する。繰返し模様１単位における、地と異なる部分１の面積は、繰返し模様１単位の面積に対して９９．５％〜０％の範囲の割合を有する。
【００１５】
繰返し模様１単位において、その面積に対する、地と異なる部分１の面積の割合は、フイルムの長さ方向に好ましくは５〜１００段階の変化を有することによって漸減又は漸増する。例えば図１では、フイルムの長さ方向に２８の繰返し模様を有し、繰返し模様の１単位毎に上記面積の割合が変化しており、従って２７段階の変化を有する。上記割合は、フイルムの幅方向には一定であるのが好ましい。
【００１６】
繰返し模様１単位は、フイルムの長さ方向に好ましくは０．６〜３３ｃｍの長さ（Ｌ）を有する。好ましくは１．２〜２２ｃｍ、さらに好ましくは１．２〜１１ｃｍである。
【００１７】
本発明の装飾用フイルムは、基体フイルムに上記模様を付与することによって製造される。模様は、塗料を含む。塗料は、フイルムに遮光性を付与するものであれば特に制限されない。好ましくは、模様がパール系顔料またはアルミニウム系顔料を含む。
【００１８】
基体フイルムとしては、例えば、ポリエチレンテレフタレート、ポリトリメチレンテレフタレート、ポリブチレンテレフタレート、ポリエチレンナフタレートなどのポリエステル系樹脂；ジアセチルセルロース、トリアセチルセルロースなどのセルロース系樹脂；ポリカーボネート系樹脂；ポリメタクリル酸メチルなどのアクリル系樹脂；スチレン−アクリロニトリル共重合体などのスチレン系樹脂；塩化ビニル系樹脂；およびポリエチレン、ポリプロピレン、ポリ環状オレフィンなどのポリオレフィン系樹脂が挙げられ、これらの１以上が使用される。これらの中で、二軸延伸ポリエチレンテレフタレートフィルムは、機械的強度と寸法安定性が良好なので好適に用いることができ、トリアセチルセルロースフィルムは、等方性と透明性が良好なので好適に用いることができる。基材フイルムは、好ましくは、以下に定義する透明性を有する。すなわち、本明細書において、「透明性」は、ＪＩＳ  Ａ  ５７５９で規定される可視光線透過率が６０％以上であることを意味する。本発明における基体フイルムは、好ましくは、上記可視光線透過率が８０％以上、より好ましくは９０％以上である透明性を有する。
【００１９】
基体フイルムの厚さは、好ましくは１０〜３００μｍ、より好ましくは２５〜１８８μｍである。
【００２０】
基体フイルムへの模様の付与は、フイルムの長さ方向に１〜４ｍ当たり１回繰返すグラデーションを有するように行われる。模様の付与に用いられる方法としては、各種印刷方法（例えば、スクリーン印刷法、グラビア印刷法、オフセット印刷法、フレキソ印刷法）や着色フイルムのラミネート等が挙げられる。好ましくは、スクリーン印刷が使用される。スクリーン印刷を使用すると、フイルムの長さ方向に１ｍ以上の長い印刷が可能であり、また、インクの転写量が多いので、遮光あるいは深みのある色彩を得るために十分な厚みが1回の印刷で得られる。これに対して、グラビア印刷は、ロール径の大きさに限界があり、１回繰返すグラデーションの長さはフイルムの長さ方向に高々１ｍである。また、インクの転写量が少ないので、１回の印刷では遮光あるいは深みのある色彩を得るために十分な厚みを得ることができない。
【００２１】
模様を付与した後の塗料の厚みは、乾燥時で２〜５０μｍが好ましく、より好ましくは２〜２０μｍ、さらに好ましくは２〜１２μｍ、よりさらに好ましくは３〜９μｍである。
【００２２】
本発明の装飾用フイルムは、好ましくは、模様を有する基体フイルムの、模様を有する面または模様を有しない面に粘着剤層を有する。粘着剤層は、例えばポリウレタン系、ポリオレフィン系、ポリエステル系、ポリメタクリレート系、またはポリアクリレート系などの粘着剤を所望の厚さ、例えば２０〜１００μｍの厚さに塗布することによって形成される。粘着剤層として、剥離ライナー付き粘着剤層を使用することもできる。剥離ライナーあるいは剥離ライナー付き粘着剤層は、商業的に容易に入手可能である。
【００２３】
次に、本発明を実施例および比較例を参照してさらに説明するが、本発明はこれらの実施例に限定されない。なお、実施例および比較例で用いた評価試験の方法は以下の通りである。
【００２４】
評価試験
（１）  目隠し効果：
得られた装飾用フイルムを、縦に長い窓ガラス（縦方向の長さ３ｍ）に貼り付け、室内の人物（窓ガラスから２０ｃｍ離れた地点に立っている）が見えるか否かを、屋外の、窓ガラスから３ｍ離れた地点に立つ観察者５名で下記評価基準に従って観察し、３名以上の評価を結果とした。フイルムの貼付に際しては、グラデーションの方向を窓ガラスの縦方向に合わせ、また、フイルムの、地と異なる部分の面積が大きい方が窓ガラスの下方になるようにした。
○：色、輪郭を明確に認識できない。
×：色、輪郭を明確に認識できる。
【００２５】
（２）  室内の明るさ：
得られた装飾用フイルムを、上記（１）と同様に窓ガラスに貼り付け、昼間の室内の明るさを、無灯火の室内にいる観察者５名で下記評価基準に従って評価し、３名以上の評価を結果とした。
○：新聞を楽に読むことができる。
×：薄暗く感じる。
【００２６】
（３）  印刷部分の色彩の深み
得られた装飾用フイルムを窓ガラスに貼り付け、印刷部分の色彩の深みを、屋外の、窓ガラスから３ｍ離れた地点に立つ観察者５名で下記評価基準に従って観察し、３名以上の評価を結果とした。
○：色彩に深みがある。
×：色彩に深みがない。
【００２７】
（４）  フイルムが与える美感
得られた装飾用フイルムを上記（１）と同様に窓ガラスに貼り付け、フイルムから受ける美感を、屋外の、窓ガラスから１０ｍ離れた地点に立つ観察者５名で下記評価基準に従って観察し、３名以上の評価を結果とした。
○：美しい。
×：ありきたりであり、美感を感じない。
【実施例１】
【００２８】
図１に示すような模様を有する装飾用フイルムを製造した。すなわち、厚さ５０μｍ、幅１２８０ｍｍのポリエチレンテレフタレートフイルム（ＰＥＴ）（Ｔ６００Ｅ５０、三菱化学ポリエステルフイルム（株）製）上に、長さ方向に３ｍにわたって１回繰返すグラデーションを有する模様をスクリーン印刷法によって付与した。模様を構成する図形は直径４０ｍｍの円形の外周輪郭を有し、繰返し模様１単位の大きさは、Ｌ＝４５ｍｍおよびＷ＝４５ｍｍであった。図形の外周輪郭の内側に存在する地の部分は、図形の外周輪郭と同心の円形である。繰返し模様１単位の面積に対する、地と異なる部分の面積の割合は、フイルムの長さ方向に最大６２．０％から最小６．０％までであり、６６段階の変化を有して漸減させた。
【００２９】
上記スクリーン印刷法では、偏光パールインク（５重量％の濃度で、鱗片状の二酸化チタン被覆雲母片を含有する；雲母片の平均粒径は約０〜５０μｍ；メルク社からIriodin シリーズとして入手可能）を使用した。スクリーン印刷された部分のインクの厚みは４μｍであった。
【００３０】
さらに、ＰＥＴフイルムの印刷面（模様を有する面）とは反対の面に、アクリル系粘着剤（ＳＫダイン１４２９ＤＴ、綜研化学(株)製）を２５μｍの厚さで塗布して、実施例１の装飾用フイルムとした。
得られた装飾用フイルムを用いて上記（１）〜（４）の評価試験を行った。結果を表１に示す。
【実施例２】
【００３１】
実施例１と同様にして、図１に示すような模様を印刷して装飾用フイルムを製造し、評価試験を行った。ただし、図形の外周輪郭は直径２６ｍｍの円形であり、繰返し模様１単位の大きさをＬ＝３１ｍｍおよびＷ＝３１ｍｍとした。また、繰返し模様１単位の面積に対する、地と異なる部分の面積の割合は、フイルムの長さ方向に最大５５．２％から最小１５．７％までであり、９６段階の変化を有して漸減させた。
結果を表１に示す。
【実施例３】
【００３２】
図３に示すような模様を有する装飾用フイルムを実施例１と同様にして製造し、評価試験を行った。模様を構成する図形は１辺２７ｍｍの正方形の外周輪郭を有し、繰返し模様１単位の大きさをＬ＝３０ｍｍおよびＷ＝３０ｍｍとした。図形の外周輪郭の内側に存在する地の部分は、図形の外周輪郭と同心の正方形である。また、繰返し模様１単位の面積に対する、地と異なる部分の面積の割合は、フイルムの長さ方向に最大８１．０％から最小２２．２％までであり、１００段階の変化を有して漸減させた。
結果を表１に示す。
【００３３】
比較例１
実施例１と同様の模様を有する装飾用フイルムを実施例１と同様にして製造した。ただし、スクリーン印刷法に代えてグラビア印刷法を使用した。使用したグラビア印刷機はロール外周が０．９５ｍであり、フイルムの長さ方向に０．９５ｍにわたって模様を印刷した。印刷された部分のインクの厚みは１μｍであった。
得られた装飾用フイルムを用いて上記（１）〜（３）の評価試験を行った。結果を表１に示す。
【００３４】
比較例２
実施例１の装飾用フイルムにおいて、図１の２に対応する部分以外を全て印刷部分とした他は実施例１と同様にして装飾用フイルムを製造した。得られた装飾用フイルムについて、上記（１）〜（４）の評価試験を行った。結果を表１に示す。
【００３５】
【表１】
2006231880.tif 000003
【００３６】
表１に示すように、本発明に従う実施例１〜３の装飾用フイルムは、機能および外観に優れていた。
【００３７】
一方、比較例１の装飾用フイルムは、１回繰返すグラデーションの長さが０．９５ｍであったので、試験（１）における縦に長い窓ガラスに貼付するときには別の装飾用フイルムを継ぎ足す必要があり、比較例１のフイルム１枚のみでは、室内の明るさは得られるものの、目隠し効果を得ることはできなかった。また、印刷部分のインクの厚みが１μｍであったので、印刷部分の色彩の深みが不充分であった。
【００３８】
比較例２の装飾用フイルムは、グラデーションを、本発明とは異なる構成の模様で形成したものである。窓の外から室内を見たとき、室内の人の輪郭が本発明の装飾用フイルムの場合よりも分かりやすく、目隠し効果が不充分であると共に、室内では薄暗く感じられ、室内の明るさの確保も不充分であった。また、フイルムの美感も、本発明のものより劣っていた。
【産業上の利用可能性】
【００３９】
本発明の装飾用フイルムは、意匠性に優れ、また１回繰返すグラデーションをフイルムの長さ方向に１〜４ｍにわたって有するので、縦方向に長いガラスや透明樹脂製板、例えば窓ガラスやパーティション、においてもグラデーションの中に継ぎ目を有することなく貼付することができ、ガラス等に貼付したとき、優れた外観および目隠し効果を付与すると共に、室内の明るさも確保することができる。
【図面の簡単な説明】
【００４０】
【図１】本発明の装飾用フイルムの一例を示す模式的平面図である。
【図２】図１の一部を拡大した図である。
【図３】本発明の別の装飾用フイルムを示す模式的平面図である。
【符号の説明】
【００４１】
１    基体フイルムの地の色と異なる色を有する部分
２    図形の外周輪郭の内側に存在する、基体フイルムの地の部分
Ｌ    フイルムの長さ方向における繰返し模様１単位の長さ
Ｗ    フイルムの幅方向における繰返し模様１単位の長さ
【図１】
2006231880.tif 000004
【図２】
2006231880.tif 000005
【図３】
2006231880.tif 000006